(57)【要約】【課題】記録されたデータの内容の把握が容易であり、かつ、物を収集するという人間が本来もっている習慣、趣向を刺激するデータ管理技術を提供することを課題とする。【解決手段】音楽プレーヤ１２のケース１２０には開口窓１２３が設けられ、この開口窓１２３を介してケース収納部１２２内の空間が外部と連通している。ユーザは、ダウンロードした音楽データをメモリカード１１に格納し、メモリカード１１をメモリケース１５に収納して管理している。音楽を聴くときは、音楽プレーヤ１２のケース収納部１２２にメモリケース１５を挿入し、カードスロット１２４にメモリカード１１を挿入する。メモリケース１５に貼付されたジャケットシール１４１にはメモリカード１１に格納された音楽アルバムのジャケットデザインが印刷されている。このジャケットが開口窓１２３を介して外部から観察可能である。【選択図】図８
2007320588.tif 000002
【特許請求の範囲】
【請求項１】
メモリカードを収納するカード収納部と、
前記メモリカードに格納されているデータに関連する情報が印字されたシールを貼付するためのシール貼付領域と、
を備え、
前記メモリカードをカードスロットに挿入することで前記メモリカードに格納されたデータにアクセス可能な電子機器が備えるケース収納部に収納可能としたことを特徴とするメモリケース。
【請求項２】
請求項１に記載のメモリケースにおいて、
前記電子機器には、前記ケース収納部内の空間と外部空間とを遮蔽する機器ケースの一部に開口窓が設けられており、前記ケース収納部に前記メモリケースが挿入されることで、前記メモリケースに貼付された前記シールが前記開口窓を介して外部から観察可能に構成されることを特徴とするメモリケース。
【請求項３】
請求項１または請求項２に記載のメモリケースにおいて、
前記メモリケースの全体または一部にケース識別情報が表示されるとともに、前記メモリカードの全部または一部にメモリ識別情報が表示され、前記ケース識別情報と前記メモリ識別情報とを一致させることで、前記メモリケースと前記メモリカードとを対応させて管理することを特徴とするメモリケース。
【請求項４】
請求項３に記載のメモリケースにおいて、
前記ケース識別情報および前記メモリ識別情報は色であり、色が一致するか否かにより、前記メモリケースと前記メモリカードとを対応させて管理することを特徴とするメモリケース。
【請求項５】
請求項３に記載のメモリケースにおいて、
前記ケース識別情報および前記メモリ識別情報は文字であり、文字が一致するか否かにより、前記メモリケースと前記メモリカードとを対応させて管理することを特徴とするメモリケース。
【請求項６】
請求項１ないし請求項５のいずれかに記載のメモリケースにおいて、
前記カード収納部に収納される前記メモリカードに格納されているデータは音楽データであり、前記シールには、格納された音楽に関連する情報が印字されていることを特徴とするメモリケース。
【請求項７】
請求項６に記載のメモリケースにおいて、
前記音楽に関連する情報は、
音楽アルバムのジャケットデザイン、
を含むことを特徴とするメモリケース。
【請求項８】
メモリカードを保持するカード保持手段と、
前記メモリカードに格納されているデータに関連する情報が印字された情報印字領域と、
を備え、
前記メモリカードをカードスロットに挿入することで前記メモリカードに格納されたデータにアクセス可能な電子機器が備えるシート収納部に収納可能としたことを特徴とするメモリシート。
【請求項９】
請求項８に記載のメモリシートにおいて、
前記電子機器には、機器ケースの表面に略透明あるいは半透明のカバーが取り付けられており、前記機器ケースと前記カバーの隙間により前記シート収納部が形成され、前記機器ケースと前記カバーとの間に前記メモリシートが挿入されることにより、前記メモリシートに印字された情報が前記カバーを介して外部から観察可能に構成されることを特徴とするメモリシート。
【請求項１０】
請求項８または請求項９に記載のメモリシートにおいて、
前記カード保持手段は、シート表面に塗布された粘着性部材により前記メモリカードをシート表面に装着させる手段、を含むことを特徴とするメモリシート。
【請求項１１】
請求項８または請求項９に記載のメモリシートにおいて、
前記カード保持手段は、前記メモリシートを折り曲げることにより形成される袋体であることを特徴とするメモリシート。
【請求項１２】
請求項８または請求項９に記載のメモリシートにおいて、
前記カード保持手段は、前記メモリカードを差し込み可能な切り目であることを特徴とするメモリシート。
【請求項１３】
請求項８ないし請求項１２のいずれかに記載のメモリシートにおいて、
前記メモリシートの全体または一部にシート識別情報が表示されるとともに、前記メモリカードの全部または一部にメモリ識別情報が表示され、前記シート識別情報と前記メモリ識別情報とを一致させることで、前記メモリシートと前記メモリカードとを対応させて管理することを特徴とするメモリシート。
【請求項１４】
請求項１３に記載のメモリシートにおいて、
前記シート識別情報および前記メモリ識別情報は色であり、色が一致するか否かにより、前記メモリシートと前記メモリカードとを対応させて管理することを特徴とするメモリシート。
【請求項１５】
請求項１３に記載のメモリシートにおいて、
前記シート識別情報および前記メモリ識別情報は文字であり、文字が一致するか否かにより、前記メモリシートと前記メモリカードとを対応させて管理することを特徴とするメモリシート。
【請求項１６】
請求項８ないし請求項１５のいずれかに記載のメモリシートにおいて、
前記カード保持手段により保持される前記メモリカードに格納されているデータは音楽データであり、前記情報印字領域には、格納された音楽に関連する情報が印字されていることを特徴とするメモリシート。
【請求項１７】
請求項１６に記載のメモリシートにおいて、
前記音楽に関連する情報は、
音楽アルバムのジャケットデザイン、
を含むことを特徴とするメモリシート。
【請求項１８】
請求項１ないし請求項７のいずれかに記載のメモリケースを前記ケース収納部に収納する電子機器。
【請求項１９】
請求項８ないし請求項１７のいずれかに記載のメモリシートを前記シート収納部に収納する電子機器。
【発明の詳細な説明】
【技術分野】
【０００１】
本発明は、比較的小さいサイズのメモリカードの利用技術および管理技術に関する。
【背景技術】
【０００２】
インターネットのサイトから音楽データをダウンロードすることが可能である。ダウンロードした音楽データは、たとえば、携帯音楽プレーヤに格納される。従来、ＣＤをＣＤプレーヤにセットして音楽を聴く、ＣＤの内容をＭＤにコピーし、ＭＤをＭＤプレーヤにセットして音楽を聴くという形態が一般的であったが、昨今では、ＣＤやＭＤといった媒体を利用せず、メモリやハードディスクに格納された音楽を聴いて楽しむという利用形態が人気である。
【０００３】
【非特許文献１】“シリコンオーディオとは”，ＰＣＶｉｅｗ，ＮＴＴ  ＰＣ  ＣＯＭＭＵＮＩＣＡＴＩＯＮＳ，[平成１８年４月１３日検索]，インターネット＜ＵＲＬ：http://www.pc-view.net/Help/manual/1203.html＞
【発明の開示】
【発明が解決しようとする課題】
【０００４】
上記のように、音楽アルバムごとにＣＤ（古くはレコード）やＭＤを所持する形態に加えて、最近では音楽データを大容量のメモリやハードディスクに一括して蓄積する形態が人気となってきている。利便性という点では、多数の媒体を所持するより、１つの内蔵メモリやハードディスクに大量の音楽データを格納しておく方が優れている。
【０００５】
しかし、物を収集するという習慣は、人間が本来もっている習慣であり、それ自体に価値があるものである。かつて、レコードを収集していた人は、様々なデザインのジャケットを見て楽しんだものである。レコードを収集していた人にとって、レコードアルバムは単なる音楽が記録された媒体ではなく、あるいは単に音楽を楽しむための媒体というだけではなく、アルバムジャケットを含めてコレクションの対象でもあった。
【０００６】
これに対して、内蔵メモリやハードディスクに音楽データを格納するという形態は、利便性の追求という点では常に受け入れられる技術であるが、物をコレクションするという習慣、趣向に対しては相反する技術である。
【０００７】
また、内蔵メモリやハードディスクに音楽データを格納するという形態は、非常に多数の音楽データを格納できるという利点がある反面、どの音楽データが格納されているかを即座に知ることができず、しばしば楽曲の管理が煩雑になる場面が生じる。そして、そもそも大容量の記憶手段を備えるシリコンオーディオについては、格納されている音楽、つまりは聴くことができる音楽が非常に多数となり、機器本体を外部から観察しただけでは、どの音楽が再生可能であるかを即座に識別可能とすることは困難である。
【０００８】
そこで、本発明は前記問題点に鑑み、記録されたデータの内容の把握が容易であり、かつ、物を収集するという人間が本来もっている習慣、趣向を刺激するデータ管理技術を提供することを目的とする。
【課題を解決するための手段】
【０００９】
上記課題を解決するため、請求項１記載の発明は、メモリカードを収納するカード収納部と、前記メモリカードに格納されているデータに関連する情報が印字されたシールを貼付するためのシール貼付領域と、を備え、前記メモリカードをカードスロットに挿入することで前記メモリカードに格納されたデータにアクセス可能な電子機器が備えるケース収納部に収納可能としたことを特徴とする。
【００１０】
請求項２記載の発明は、請求項１に記載のメモリケースにおいて、前記電子機器には、前記ケース収納部内の空間と外部空間とを遮蔽する機器ケースの一部に開口窓が設けられており、前記ケース収納部に前記メモリケースが挿入されることで、前記メモリケースに貼付された前記シールが前記開口窓を介して外部から観察可能に構成されることを特徴とする。
【００１１】
請求項３記載の発明は、請求項１または請求項２に記載のメモリケースにおいて、前記メモリケースの全体または一部にケース識別情報が表示されるとともに、前記メモリカードの全部または一部にメモリ識別情報が表示され、前記ケース識別情報と前記メモリ識別情報とを一致させることで、前記メモリケースと前記メモリカードとを対応させて管理することを特徴とする。
【００１２】
請求項４記載の発明は、請求項３に記載のメモリケースにおいて、前記ケース識別情報および前記メモリ識別情報は色であり、色が一致するか否かにより、前記メモリケースと前記メモリカードとを対応させて管理することを特徴とする。
【００１３】
請求項５記載の発明は、請求項３に記載のメモリケースにおいて、前記ケース識別情報および前記メモリ識別情報は文字であり、文字が一致するか否かにより、前記メモリケースと前記メモリカードとを対応させて管理することを特徴とする。
【００１４】
請求項６記載の発明は、請求項１ないし請求項５のいずれかに記載のメモリケースにおいて、前記カード収納部に収納される前記メモリカードに格納されているデータは音楽データであり、前記シールには、格納された音楽に関連する情報が印字されていることを特徴とする。
【００１５】
請求項７記載の発明は、請求項６に記載のメモリケースにおいて、前記音楽に関連する情報は、音楽アルバムのジャケットデザイン、を含むことを特徴とする。
【００１６】
請求項８記載の発明は、メモリカードを保持するカード保持手段と、前記メモリカードに格納されているデータに関連する情報が印字された情報印字領域と、を備え、前記メモリカードをカードスロットに挿入することで前記メモリカードに格納されたデータにアクセス可能な電子機器が備えるシート収納部に収納可能としたことを特徴とする。
【００１７】
請求項９記載の発明は、請求項８に記載のメモリシートにおいて、前記電子機器には、機器ケースの表面に略透明あるいは半透明のカバーが取り付けられており、前記機器ケースと前記カバーの隙間により前記シート収納部が形成され、前記機器ケースと前記カバーとの間に前記メモリシートが挿入されることにより、前記メモリシートに印字された情報が前記カバーを介して外部から観察可能に構成されることを特徴とする。
【００１８】
請求項１０記載の発明は、請求項８または請求項９に記載のメモリシートにおいて、前記カード保持手段は、シート表面に塗布された粘着性部材により前記メモリカードをシート表面に装着させる手段、を含むことを特徴とする。
【００１９】
請求項１１記載の発明は、請求項８または請求項９に記載のメモリシートにおいて、前記カード保持手段は、前記メモリシートを折り曲げることにより形成される袋体であることを特徴とする。
【００２０】
請求項１２記載の発明は、請求項８または請求項９に記載のメモリシートにおいて、前記カード保持手段は、前記メモリカードを差し込み可能な切り目であることを特徴とする。
【００２１】
請求項１３記載の発明は、請求項８ないし請求項１２のいずれかに記載のメモリシートにおいて、前記メモリシートの全体または一部にシート識別情報が表示されるとともに、前記メモリカードの全部または一部にメモリ識別情報が表示され、前記シート識別情報と前記メモリ識別情報とを一致させることで、前記メモリシートと前記メモリカードとを対応させて管理することを特徴とする。
【００２２】
請求項１４記載の発明は、請求項１３に記載のメモリシートにおいて、前記シート識別情報および前記メモリ識別情報は色であり、色が一致するか否かにより、前記メモリシートと前記メモリカードとを対応させて管理することを特徴とする。
【００２３】
請求項１５記載の発明は、請求項１３に記載のメモリシートにおいて、前記シート識別情報および前記メモリ識別情報は文字であり、文字が一致するか否かにより、前記メモリシートと前記メモリカードとを対応させて管理することを特徴とする。
【００２４】
請求項１６記載の発明は、請求項８ないし請求項１５のいずれかに記載のメモリシートにおいて、前記カード保持手段により保持される前記メモリカードに格納されているデータは音楽データであり、前記情報印字領域には、格納された音楽に関連する情報が印字されていることを特徴とする。
【００２５】
請求項１７記載の発明は、請求項１６に記載のメモリシートにおいて、前記音楽に関連する情報は、音楽アルバムのジャケットデザイン、を含むことを特徴とする。
【００２６】
請求項１８記載の発明は、請求項１ないし請求項７のいずれかに記載のメモリケースを前記ケース収納部に収納する電子機器である。
【００２７】
請求項１９記載の発明は、請求項８ないし請求項１７のいずれかに記載のメモリシートを前記シート収納部に収納する電子機器である。
【発明の効果】
【００２８】
本発明のメモリケースは、メモリカードの収納部と、メモリカードに格納されているデータに関連する情報が印字されたシールを貼付する領域を備え、メモリカードにアクセスする電子機器が備えるケース収納部に収納可能である。したがって、メモリカードをそのデータ内容を表示したケースとともに管理可能である。また、メモリカードを電子機器で利用する際にも、そのデータ内容を表示したメモリケースが電子機器内に収納され、利便性がよい。
【００２９】
また、メモリケースに貼付されたシールが電子機器に設けられた開口窓を介して外部から観察可能である。これにより、電子機器がアクセスしているメモリカードに格納された情報を外部から把握可能である。
【００３０】
また、ケース識別情報とメモリ識別情報とを一致させることで、メモリケースとメモリカードとを対応させて管理する。メモリケースとメモリカードとを対応させる管理の煩雑さを軽減させることができる。
【００３１】
また、シールには、メモリカードに格納された音楽に関連する情報が印字されている。したがって、電子機器で再生している音楽の内容を外部から容易に把握可能である。
【００３２】
また、シールには、音楽アルバムのジャケットデザインが印字されている。したがって、電子機器が再生している音楽アルバムを即座に把握可能である。また、電子機器の外観にも作用し、電子機器のデザイン性を高めることもできる。
【００３３】
また、本発明のメモリシートは、メモリカードの保持部と、メモリカードに格納されているデータに関連する情報が印字される領域を備え、メモリカードにアクセスする電子機器が備えるシート収納部に収納可能である。したがって、メモリカードをそのデータ内容を表示したシートとともに管理可能である。また、メモリカードを電子機器で利用する際にも、そのデータ内容を表示したメモリシートが電子機器内に収納され、利便性がよい。
【００３４】
また、メモリシートに印字された情報が電子機器に設けられた開口窓を介して外部から観察可能である。これにより、電子機器がアクセスしているメモリカードに格納された情報を外部から把握可能である。
【００３５】
また、シート識別情報とメモリ識別情報とを一致させることで、メモリシートとメモリカードとを対応させて管理する。メモリシートとメモリカードとを対応させる管理の煩雑さを軽減させることができる。
【発明を実施するための最良の形態】
【００３６】
＜第１の実施の形態＞
｛ダウンロードサービス｝
以下、図面を参照しつつ本発明の実施の形態について説明する。図１は、実施の形態に係る音楽データダウンロードサービスのイメージ図である。この音楽データダウンロードサービスは、ＣＤ、ＤＶＤなどの音楽コンテンツを製作しているレコード会社２と、レコード会社２により製作されたＣＤ、ＤＶＤなどの音楽コンテンツを店頭販売するＣＤショップ１が提携することにより行われる。
【００３７】
このサービスを受けるユーザは、まずＣＤショップ１（図１で示した「ＡＢＣ  ＲＥＣＯＲＤＳ」）に訪れる。ＣＤショップ１では、音楽ＣＤや音楽ＤＶＤなどが店頭に陳列され、販売されている。それと合わせてＣＤショップ１では、図２に示すようなダウンロードセット用の棚１０が設置されている。この棚１０には、このダウンロードサービスに関わる商品、冊子などが陳列されている。この棚１０には、図に示すように、メモリカード１１，音楽プレーヤ１２、フリーペーパー１３（「ＡＢＣ  Ｆｒｉｅｎｄｓ」）、メモリケース１５が陳列されている。
【００３８】
ユーザは、このＣＤショップ１でフリーペーパー１３を入手する。フリーペーパー１３には、このＣＤショップ１のキャンペーン情報、セール情報、各種音楽情報が記載されている。また、このフリーペーパー１３には、図３に示すような広告ちらし１４が挟まれている。広告ちらし１４の内容については後で説明する。この実施の形態においては、広告ちらし１４がフリーペーパー１３に挿入されて配布されている場合を例に説明しているが、広告ちらし１４が、有料の雑誌などに挿入されて配布されている形態であってもよい。あるいは、広告ちらし１４が単体で無料で配布されている形態であってもよいし、広告ちらし１４が単体で有料で販売されている形態であってもよい。
【００３９】
ユーザは、フリーペーパー１３を入手するとともに、必要に応じてメモリカード１１やメモリケース１５、音楽プレーヤ１２を購入する。メモリカード１１は、音楽データダウンロードサービスによりダウンロードした音楽データを格納するための媒体である。たとえば、メモリカード１１は、ｍｉｃｒｏＳＤカードなどの小さいサイズのメモリカードである。本発明は、ｍｉｃｒｏＳＤカードのような比較的小さいサイズのメモリカードを利用するところに特徴がある。メモリケース１５は、音楽データが格納されたメモリカード１１を収納するケースである。音楽プレーヤ１２は、メモリカード１１に格納されている音楽データを再生する機器である。ユーザは、ダウンロードした音楽データをメモリカード１１に格納し、メモリカード１１を音楽プレーヤ１２に挿入することで、音楽を聴くことが可能である。
【００４０】
図４は、メモリケース１５の斜視図である。このメモリケース１５は、正面視略長方形状の薄いプラスティック製のプレートである。たとえば、縦３ｃｍ、横２ｃｍ、厚み５ｍｍ程度のプレートである。
【００４１】
そして、このメモリケース１５の上面には、メモリカード１１を収納するカード収納部１５ａが設けられている。カード収納部１５ａの内部には、図示せぬカード係止部を備えており、メモリカード１１をカード収納部１５ａ内で係止できるようになっている。たとえば、携帯電話機などの電子機器においてメモリカードを挿入するスロットと同様の構造でメモリカード１１を係止するようにしている。カード収納部１５ａに蓋、キャップなどを設けて、メモリカード１１を収納する構造としてもよい。
【００４２】
また、メモリケース１５のケース正面側には、後述するジャケットシール１４１を貼付するためのシール貼付領域１５ｂが設けられている。ユーザは、購入したメモリカード１１に音楽データをダウンロードして格納し、そのメモリカード１１をメモリケース１５に収納して管理するのである。前述したように、メモリカード１１は、ｍｉｃｒｏＳＤカードなどのサイズの小さいメモリカードを想定しているが、このように、小さいサイズのメモリカード１１であっても、メモリケース１５を利用して管理することで、紛失したり、破損したりすることを防ぐことができる。また、後で詳しく説明するが、ジャケットシール１４１を貼付することで、コレクションの対象とすることができるのである。
【００４３】
本実施の形態においては、メモリカード１１としてＯＴＰ（One Time Programmable）メモリを採用している。ＯＴＰメモリには、複数回のデータ書き込みを保障する機能を省くことで、ＭＴＰ（Multi Time Programmable）メモリに比べて安価に提供されるタイプのものが存在する。メモリカード１１として、このような安価なＯＴＰメモリを利用することで、このダウンロードサービスを受けるユーザに対するコスト負担を小さくすることが可能である。
【００４４】
このように、棚１０には、ダウンロードした音楽データを格納するメモリカード１１、メモリケース１５、ダウンロードした音楽データを再生する音楽プレーヤ１２、各種音楽情報が記載されたフリーペーパー１３が陳列されている。ユーザは、このダウンロードサービスを初めて受ける際には、音楽プレーヤ１２とメモリカード１１とメモリケース１５を購入する。２回目以降は、必要に応じてメモリカード１１やメモリケース１５を買い足すことでダウンロードサービスを継続して受けることができる。また、ダウンロードする音楽データに関する情報はフリーペーパー１３に挿入されている広告ちらし１４から取得することが可能である。
【００４５】
図３に示す広告ちらし１４は、音楽データの宣伝広告とダウンロードのナビゲーション情報、ジャケットシール１４１が一つになった広告媒体である。この図の例では、広告ちらし１４には、４つの音楽アルバムの宣伝広告がそれぞれアルバム情報欄１４０に区分けして記載されている。各アルバム情報欄１４０には、音楽アルバムのジャケットをデザインしたジャケットシール１４１が着脱可能に貼付されている。つまり、ジャケットシール１４１は、シール台紙に貼り付けられるとともに、その外周部が周囲の紙と切断されており、容易にシール台紙から剥がすことが可能となっている。ジャケットシール１４１の横には、音楽アルバムのアルバムタイトル１４２やアルバムの紹介文１４３が印刷されている。そして、アルバムの紹介文１４３の下部には、２次元コード１４４が印刷されている。
【００４６】
２次元コード１４４には、このアルバム情報欄１４０で紹介されている音楽アルバムデータをダウンロードするためのＵＲＬがコード化されて記録されている。２次元コード１４４としては、たとえばＱＲコードが利用可能である。つまり、ダウンロードサイト２１内のダウンロードページを指定したＵＲＬがアクセス情報として記録されている。ユーザは、２次元コード読み取り機能を備えた携帯電話機を所持している場合には、携帯電話機を利用して、この２次元コード１４４を読み取ることで、音楽データのダウンロードサイト２１内のダウンロードページにアクセスするのである。そして、ユーザによりダウンロードの指示が行われることで、音楽アルバムのデータがダウンロードされるのである。
【００４７】
また、２次元コード１４４の下部には、ダウンロードのリンクリスト１４５が印刷されている。ダウンロードのリンクリスト１４５とは、ダウンロードサイト２１のトップ画面から選択された音楽アルバムデータをダウンロードするページまでのリンク関係を指定した情報である。一般に、「パンくずリスト」と呼ばれている情報である。たとえば、ダウンロードサイト２１のトップ画面からのリストとして、“トップ＞洋楽＞８０年代＞（アーチスト名）＞（アルバム名）”といったような情報が印刷されている。ユーザは、たとえば、パソコンを利用してダウンロードサイト２１にアクセスし、このリストを辿ってダウンロードページを開くのである。その後は、ダウンロードを指示する操作を行うことで、音楽データをダウンロードすることが可能である。
【００４８】
図１で示したように、ユーザは、ＣＤショップ１でメモリカード１１、メモリケース１５、音楽プレーヤ１２を購入し、フリーペーパー１３を入手する。そして、フリーペーパー１３に挿入されている広告ちらし１４を参照し、ダウンロードしたい音楽アルバムを選択する。そして、広告ちらし１４に印刷されているアクセス情報（２次元コード１４４あるいはリンクリスト１４５）を利用して、音楽アルバムのデータをダウンロードするのである。
【００４９】
なお、本実施の形態においては、広告ちらし１４には、音楽アルバム単位での広告が表示されており、ダウンロードするデータの単位も音楽アルバムである場合を例に説明しているが、もちろん、このサービスはアルバム単位に限るサービスではない。シングルのダウンロードサービスにも適用可能である。この場合には、ジャケットシール１４１としてシングルＣＤのジャケットデザインを採用すればよい。
【００５０】
図５は、ユーザが所持している携帯電話機３のブロック図である。この携帯電話機３は、２次元コード読み取り機能を備える機器である。図に示すように、この携帯電話機３は、ＣＰＵを含む制御部３１と、十字カーソルや各種のボタンからなる操作部３２と、たとえば液晶表示パネルなどのモニタ３３とを備えている。また、この携帯電話機３は、２次元コード１４４を撮像するカメラ３４と、カメラ３４により撮像された２次元コードを解析する２次元コード解析部３５と、携帯電話回線網を介してインターネットとの間でデータの送受信を行う通信部３６とを備えている。携帯電話機３は、通信部３６によりレコード会社２の運営するダウンロードサイト２１にアクセスし、音楽アルバムのデータをダウンロードすることが可能である。さらに、携帯電話機３は、ダウンロードした音楽データを格納するメモリ３７とメモリスロット３８とを備えている。メモリスロット３８にはメモリカード１１がセットされ、メモリ３７に格納されている音楽データが制御部３１の制御によりメモリカード１１に転送される。
【００５１】
ユーザが、この携帯電話機３を利用して音楽データをダウンロードする場合、カメラ３４を利用して広告ちらし１４に印刷されている２次元コード１４４を撮影する。これにより、２次元コード解析部３５が２次元コード１４４を解析し、制御部３１はアクセス情報を得る。このアクセス情報に従って通信部３６が動作し、レコード会社２のダウンロードサイト２１内のダウンロードページにアクセスする。モニタ３３には、ダウンロードサイト２１内のページが表示される。ユーザは、操作部３２を操作して、ダウンロードの確認操作を行う。これにより、音楽アルバムのデータがダウンロードされ、メモリ３７に格納されるのである。
【００５２】
ユーザは、この音楽データを携帯電話機３で再生して音楽を楽しんでもよいが、さらに、メモリカード１１に転送することができる。ユーザは、メモリスロット３８に、ＣＤショップ１で購入したメモリカード１１を挿入する。そして、操作部３２を操作して、メモリ３７に格納されている音楽アルバムデータをメモリカード１１に転送するのである。たとえば、１枚の音楽アルバムのデータが全てメモリカード１１に転送される。このようにして、１枚の音楽アルバムに対応した１枚のメモリカード１１が作成される。
【００５３】
図６は、ユーザが所持しているパーソナルコンピュータ（ＰＣ）４のブロック図である。このＰＣ４は、ＣＰＵを含む制御部４１と、キーボード、マウス等からなる操作部４２と、たとえば液晶表示ディスプレイなどのモニタ４３とを備えている。また、このＰＣ４は、ＬＡＮを介してインターネットとの間でデータの送受信を行う通信部４４を備えており、通信部４４によりレコード会社２の運営するダウンロードサイト２１にアクセスし、音楽アルバムのデータをダウンロードすることが可能である。さらに、ＰＣ４は、ダウンロードした音楽データを格納するハードディスク装置４５とＵＳＢインタフェース４６とを備えている。ＵＳＢインタフェース４６にはメモリカードアダプタ４７が接続され、ハードディスク装置４５に格納されている音楽データが制御部４１の制御によりメモリカードアダプタ４７に装着されたメモリカード１１に転送される。
【００５４】
ユーザが、このＰＣ４を利用して音楽データをダウンロードする場合、まず、ＷＥＢブラウザまたは音楽ダウンロード用アプリケーションを起動し、ダウンロードサイト２１にアクセスする。次に、ユーザは、広告ちらし１４に印刷されているリンクリスト１４５を参照し、操作部４２を操作してリンクリスト１４５に記載されている文字列を順に入力する。これにより、モニタ４３に順次ＷＥＢページが表示される。そして、選択した音楽アルバムのダウンロードページが表示されたところで、ユーザは、操作部４２を操作して、ダウンロードの確認操作を行う。これにより、音楽アルバムのデータがダウンロードされ、ハードディスク装置４５に格納されるのである。なお、ダウンロードサイト２１のトップ画面のＵＲＬは、たとえば、広告ちらし１４に記載しておけばよい。
【００５５】
ユーザは、この音楽データをＰＣ４で再生して音楽を楽しんでもよいが、さらに、メモリカード１１に転送することができる。ユーザは、メモリカードアダプタ４７に、ＣＤショップ１で購入したメモリカード１１を挿入する。そして、操作部４２を操作して、ハードディスク装置４５に格納されている音楽アルバムデータをメモリカード１１に転送するのである。たとえば、１枚の音楽アルバムのデータが全てメモリカード１１に転送される。このようにして、１枚の音楽アルバムに対応した１枚のメモリカード１１が作成される。なお、この実施の形態においては、ユーザがＰＣ４を利用して音楽データをダウンロードする際にＷＥＢブラウザを利用するようにしたが、音楽データのダウンロードに専用のアプリケーションプログラムを用意してもよい。そして、メモリカード１１に対する書き込み処理も、この専用アプリケーションを利用して実行するようにしてもよい。
【００５６】
なお、携帯電話機３を用いる場合には、２次元コード１４４を利用してダウンロードを行う場合を例に説明したが、もちろん、携帯電話機３を利用する場合であっても、リンクリスト１４５を利用してもよい。そして、ダウンロードサイト２１が携帯電話のメニュー画面から指定可能であれば、広告ちらし１４などにダウンロードサイトのトップ画面のＵＲＬを表示させておく必要がなく、リンクリスト１４５にしたがって操作するだけで、ダウンロードサイト２１にアクセス可能である。
【００５７】
以上説明したように、ユーザは、携帯電話機３あるいはＰＣ４を操作して、音楽アルバムデータをダウンロードする。そして、ダウンロードした音楽アルバムデータをメモリカード１１に格納する。
【００５８】
次に、ユーザは、広告ちらし１４からジャケットシール１４１を剥がしてメモリケース１５に貼付するのである。上述したように、アルバム情報欄１４０には、音楽アルバムのジャケットシール１４１とアクセス情報（２次元コード１４４またはリンクリスト１４５）がセットで印刷されている。つまり、この広告ちらし１４で紹介されている音楽アルバムに関して、ダウンロードするためのアクセス情報と、アルバムジャケットをデザインされたシールが並べて表示されているのである。
【００５９】
したがって、ユーザは、アクセス情報に従って音楽アルバムのデータを取得した後、ダウンロードした音楽アルバムのジャケットシール１４１をメモリケース１５に貼付する。そして、メモリケース１５のカード収納部１５ａに音楽アルバムを格納したメモリカード１１を収納することで、メモリカード１１とメモリケース１５とをアルバムジャケット付きの音楽アルバムとして扱うことができるのである。単なる音楽データ（視覚的には無形なデータ）が格納されたメモリ媒体やハードディスク媒体とは異なり、あたかも、かつての音楽レコードアルバムのように、コレクションの対象となるアルバムを作成することができるのである。
【００６０】
図７に示すように、ＣＤショップ１で販売されているメモリケース１５には、ジャケットシール１４１を貼付するためのシール貼付領域１５ｂが設けられている。ユーザは、このシール貼付領域１５ｂに、ジャケットシール１４１を貼付するのである。本実施の形態においては、シール貼付領域１５ｂには、シールを貼る場所の目安となるように、ジャケットシール１４１と同じ外形の枠が印字されている。ユーザは、この枠に合わせてジャケットシール１４１を貼付すればよい。
【００６１】
あるいは、メモリケース１５のケース表面に正面視で略長方形状の凹部を形成するようにしてもよい。つまり、ジャケットシール１４１の外形と略同じ（厳密には、シールを貼付するためわずかに大きい）サイズの薄い凹部を形成するようにしてもよい。この凹部は、ジャケットシール１４１の厚みと略同じ深さを持っていればよい。このようにすることで、メモリケース１５にジャケットシール１４１を貼付したとしても、メモリケース１５の厚みが厚くなることはない。
【００６２】
このようにして、ユーザは、ジャケットシール１４１が貼付されたメモリケース１５を作成することができる。ユーザは、ジャケットシール１４１が貼付されたメモリケース１５にメモリカード１１を挿入して管理するのである。そして、音楽を聴くときには、後述するように、メモリケース１５とメモリカード１１を別々に音楽プレーヤ１２に挿入するのである。
【００６３】
｛音楽プレーヤ｝
本実施の形態に係る音楽プレーヤ１２は、メモリカード１１を挿入して音楽を再生する機器である。音楽プレーヤ１２は、音楽データを格納するための内蔵メモリや内蔵ハードディスクを備えておらず、メモリカード１１を挿入することによって音楽を再生可能としている。したがって、音楽プレーヤ１２は、非常にコンパクトで薄型の機器であり、また、安価でユーザに提供可能な機器である。上述したように、安価なＯＴＰメモリを使用していることとあわせて、音楽プレーヤ１２についても安価に提供可能とし、ユーザに掛かるダウンロード費用以外のコストをなるべく低く抑えるサービス形態となっている。ただし、この構成は一例であり、もちろん音楽プレーヤ１２が内蔵記憶装置を備える構成であってもよい。
【００６４】
図８は、本実施の形態に係る音楽プレーヤ１２の外観図である。図８（Ａ）は、音楽プレーヤ１２の正面図、図８（Ｂ）は側面図、図８（Ｃ）は背面図である。このように、音楽プレーヤ１２は、薄型の携帯音楽再生装置であり、ヘッドホン１９を接続して音楽を聴くことが可能である。音楽プレーヤ１２は、装置の外形を形成するケース１２０内に、音楽データを再生するための各種の電子部品を内装している。また、装置の正面には、図８（Ａ）に示すように操作部１２１を配置している。操作部１２１は、音楽の再生、早送り、巻戻し、一時停止などを指示するボタンで構成されている。
【００６５】
また、音楽プレーヤ１２の装置上部には、メモリケース１５を挿入するためのカード収納部１２２が設けられている。図９は、音楽プレーヤ１２の平面図である。音楽プレーヤ１２のケース１２０には、図９に示すように、装置上部にケース収納部１２２が設けられ、メモリケース１５を挿入可能となっている。なお、図９は、ケース収納部１２２からメモリケース１５を取り去った状態の図である。先に、メモリケース１５については、ジャケットシール１４１が貼付されるケース表面をメモリケース１５の正面側として説明した。したがって、メモリケース１５がケース収納部１２２に挿入された状態では、メモリケース１５の正面側が音楽プレーヤ１２の正面側に対向することとなる。
【００６６】
さらに、図８（Ａ）および図１０に示すように、ケース１２０には装置正面側に略長方形状の開口窓１２３が設けられている。図１０は、音楽プレーヤ１２の側面断面図である。図１０は、ケース収納部１２２にメモリケース１５を挿入した状態の図である。このように、ケース１２０に開口窓１２３が設けられているので、図８（Ａ）に示すように、ケース収納部１２２にメモリケース１５を挿入した場合、メモリケース１５のケース表面に貼付したジャケットシール１４１が装置の外部から観察可能となっている。開口窓１２３の大きさは特に限定されるものではないが、好ましくはジャケットシール１４１の面積の８０％程度が外部から観察可能な程度に形成されていることが好ましい。さらに好ましくは、ジャケットシール１４１の全体が外部から観察可能となるように開口窓１２３が形成されていることが好ましい。
【００６７】
そして、図８および図１１に示すように、音楽プレーヤ１２の下部側には、メモリカード１１を挿入するカードスロット１２４が設けられている。図１１は、音楽プレーヤ１２の底面図である。ユーザは、カードスロット１２４にメモリカード１１を挿入し、操作部１２１を操作することによって、音楽を聴くことができる。このように、ユーザは、メモリケース１５をケース収納部１２２に収納し、メモリカード１１をカードスロット１２４にセットすることができる。そして、この状態で音楽を聴くのである。これにより、現在聴いている音楽アルバムのジャケットが開口窓１２３を介して観察可能となっているのである。
【００６８】
図１２（Ａ）は、メモリケース１５を挿入する前の状態の音楽プレーヤ１２である。このように、ケース１２０の正面には、略長方形状の開口窓１２３が設けられ、ケース収納部１２２の内部が見えている。そして、図１２（Ｂ）に示すように、装置の上部からメモリケース１５を挿入する。これにより、図１２（Ｃ）に示すように、メモリケース１５がケース収納部１２２内にセットされ、ケース表面のジャケットシール１４１が、開口窓１２３を通して外部から観察可能となっているのである。
【００６９】
音楽プレーヤ１２をこのように構成したことにより、ユーザは、現在音楽プレーヤ１２に挿入されているメモリカード１１がどの音楽アルバムに対応したものかを即座に判断することが可能である。従来の音楽プレーヤであれば、まず、電源を入れて、液晶ディスプレイに表示された情報を参照して、メモリカード内にどの音楽データが格納されているかを確認していたが、本実施の形態の音楽プレーヤ１２であれば、電源を入れることなく、格納されている音楽の内容を知ることができる。
【００７０】
そして、開口窓１２３から観察できるシールジャケット１４１は、本実施の形態では音楽アルバムのデザインが印刷されているので、デザイン性にも優れている。このシールジャケット１４１のデザインが音楽プレーヤ１２の外観にも作用することで、音楽プレーヤ１２自体のデザインも美しくすることができる。また、ユーザは、従来のＣＤ、ＭＤ、カセットテープを利用していた場合のように、メディアごとに楽曲の管理を行うことが可能である。
【００７１】
図１３は、音楽プレーヤ１２のブロック図である。音楽プレーヤ１２は、図に示すように、制御部１２０１、ヘッドホン端子１２０２、ＵＳＢインタフェース１２０３、操作部１２１、ケース収納部１２２、カードスロット１２４を備えている。制御部１２０１は、音楽データを再生するための制御部であり、ＣＰＵやデコード回路、ワークメモリなどから構成されている。ヘッドホン端子１２０２には、図８で示したようにヘッドホン１９が接続される。制御部１２０１は、カードスロット１２４に挿入されたメモリカード１１から音楽データを読み出し、音楽データをデコード、再生してヘッドホン端子１２０２より出力するのである。
【００７２】
ここで、メモリカード１１には、一般のユーザによってデータ書き換えが不可能な記憶領域を備えており、その記憶領域にＣＤショップ１の識別情報が格納されている。つまり、この実施例であれば、メモリカード１１が、「ＡＢＣ  ＲＥＣＯＲＤＳ」によって提供されているカード（「ＡＢＣ  Ｃａｒｄ」）であることを示す識別情報が格納されている。この実施の形態では、ＣＤショップ１（「ＡＢＣ  ＲＥＣＯＲＤＳ」）とレコード会社２が提携してサービスを提供しているので、各種商品の供給元、サービスの提供元としては、ＣＤショップ１とレコード会社２とは同一視できる。したがって、この識別情報は、音楽データの供給元を識別する情報でもある。つまり、ダウンロードサイト２１を利用して音楽データを配信しているコンテンツプロバイダとしてのレコード会社２を識別する情報でもある。
【００７３】
上記の実施の形態において、ＰＣ４で音楽アルバムデータをダウンロードし、メモリカード１１に格納可能であると説明したが、このとき、ＰＣ４においてはＣＤショップ１が提供している専用アプリケーションを利用し、メモリカード１１を認識するようにすることが可能である。
【００７４】
この方法を実行する場合、ユーザは、ＰＣ４のＵＳＢインタフェース４６と音楽プレーヤ１２のＵＳＢインタフェース１２０３とをＵＳＢケーブルで接続する。そして、ユーザは、ＰＣ４において、ＣＤショップ１により提供されている専用アプリケーションを起動するのである。この専用アプリケーションは、ダウンロードサイト２１からダウンロードした音楽アルバムデータをＰＣ４上で再生したり、メモリカード１１に転送したりするためのアプリケーションプログラムである。
【００７５】
そして、この専用アプリケーションは、ＵＳＢ経由で音楽プレーヤ１２と通信を行い、メモリカード１１に記録されている識別情報を取得するのである。なお、音楽プレーヤ１２の制御部１２０１は、カードスロット１２４に挿入されているメモリカード１１にアクセスして識別情報を読取ることが可能となっている。そして、専用アプリケーションは、このメモリカード１１がＣＤショップ１により提供されたカードであることを認識すると、メモリカード１１に対する音楽アルバムデータの転送を許可するのである。
【００７６】
もしくは、メモリカード１１がＣＤショップ１により提供されたカードであることを認識すると、専用アプリケーションは、特典コンテンツのダウンロードを許可するのである。そして、ダウンロードした特典コンテンツをメモリカード１１に転送することを許可するのである。具体的には、専用アプリケーションによって表示されるダウンロード画面に、「特典コンテンツメニュー」が表示されるようになる。あるいは、初めから特典コンテンツメニューは表示されているが、条件に合うメモリカード１１が挿入されていない場合には、特典コンテンツメニューのボタンが無効化されており、条件に合うカードが認識されたところで、当該ボタンが有効化されるのである。
【００７７】
このような仕組みとすることで、安価に提供するメモリカード１１に格納できるデータに制限を加え、ダウンロードの促進効果を得ることができる。なお、ここでは、音楽プレーヤ１２がメモリカード１１に記録されている識別情報を認識し、ＰＣ４で動作する専用アプリケーションが音楽プレーヤ１２と通信することで識別情報を取得するようにした。これ以外に、携帯電話機やＰＣのメモリスロットにメモリカード１１が挿入されている場合、または、ＵＳＢケーブルなどを経由してメモリカード１１を認識している場合、携帯電話機やＰＣがメモリカード１１に記録されている識別情報を認識するようにしてもよい。この場合、携帯電話機やＰＣには、ＲＥＡＤ／ＷＲＩＴＥ用の通常のドライバに加えて、ＣＰ（コンテンツプロバイダ）識別情報認識機能を備えたドライバを実装させるようにすればよい。このような構成とすることで、上記の場合と同様、携帯電話機やＰＣは、条件に合うカードを認識すると、ダウンロードした音楽データをメモリカードに転送したり、特典コンテンツをダウンロードしてメモリカードに転送したりすることができる。
【００７８】
＜第２の実施の形態＞
次に、本発明の第２の実施の形態について説明する。第２の実施の形態においても、ダウンロードサービスのサービス内容などは第１の実施の形態と同様である。第２の実施の形態が第１の実施の形態と異なるのはメモリケースの構成である。
【００７９】
図１４（Ａ）は、第２の実施の形態に係るメモリケース５１の正面側の斜視図であり、図１４（Ｂ）は、背面側の斜視図である。メモリケース５１の大きさ、外形などは第１の実施の形態のメモリケース１５と同様である。メモリケース５１のケース正面側（５１Ｆ）には、メモリカード１１を収納するポケット状のカード収納部５１ａが設けられている。
【００８０】
この実施の形態においては、カード収納部５１ａは、メモリケース５１を形成しているプラスティック部材と同じ材料で構成されている。カード収納部５１ａの内部空間は、メモリカード１１と略同じ厚みをもっており、メモリカード１１を押し込むようにして保持することが可能となっている。あるいは、カード収納部５１ａの厚みをメモリカード１１の厚みよりも厚くし、蓋、キャップなどを設けても良い。
【００８１】
ユーザは、第１の実施の形態と同様、音楽ダウンロードサービスを利用して、音楽データをメモリカード１１に格納し、メモリカード１１をメモリケース５１に収納して管理するのである。そして、メモリケース５１の背面側（５１Ｂ）には、シール貼付領域５１ｂが設けられており、このシール貼付領域５１ｂに、ジャケットシール１４１を貼付するのである。したがって、このメモリケース５１を音楽プレーヤ１２のケース１２２に挿入する場合には、背面側が音楽プレーヤ１２の正面側となるようにする。これにより、メモリケース５１の背面側に貼付されたジャケットシール１４１が開口窓１２３を介して観察可能である。
【００８２】
＜第３の実施の形態＞
次に、本発明の第３の実施の形態について説明する。第３の実施の形態においても、ダウンロードサービスのサービス内容などは第１の実施の形態と同様である。第１あるいは第２の実施の形態では、メモリカードを収納するメモリケースを利用したが、第３の実施の形態では、メモリカードを装着するメモリシートを用いる点が異なる。また、音楽プレーヤの構成も異なる。
【００８３】
図１５は、第３の実施の形態に係るメモリシート５２を示す図である。メモリシート５２には、シート上部側の情報印字領域５２ａに音楽アルバムのジャケットデザインが直接印字されている。したがって、第１あるいは第２の実施の形態におけるメモリケースとジャケットシール１４１とが１つになったシートであるとも言える。
【００８４】
このようなメモリシート５２が、広告ちらし１４の一部として提供されているのである。つまり、図３に示した広告ちらし１４のジャケットシール１４１部分がメモリシート５２に置き換えられる。ただし、メモリシート５２自体はシールになっている必要がないので、広告ちらし１４は、第１の実施の形態のようにシールと台紙とからなる２層構造となっている必要はない。メモリシート５２の外形に沿った切り目（あるいはミシン目）を形成しておき、この切り目に沿ってメモリシート５２が取り外せるようになっていればよい。
【００８５】
そして、メモリシート５２のシート下部側の貼付領域５２ｂには、粘着性素材が塗布されている。ユーザは、音楽データを格納したメモリカード１１をこの貼付領域５２ｂに貼付するのである。このようにして、メモリカード１１とメモリシート５２をセットで管理することで、音楽アルバムのようにしてコレクションすることができるのである。図１６は、貼付領域５２ｂにメモリカード１１が装着された状態のメモリシート５２を示す図である。
【００８６】
図１７は、音楽プレーヤ１２Ａの斜視図である。この音楽プレーヤ１２Ａの機能は、第１の実施の形態における音楽プレーヤ１２と同様である。図のカードスロット１２４Ａは、音楽プレーヤ１２のカードスロット１２４と同様である。つまり、カードスロット１２４Ａにメモリカード１１を挿入することで、音楽プレーヤ１２は、音楽データを再生可能となる。
【００８７】
この音楽プレーヤ１２Ａが音楽プレーヤ１２と異なる点は、図８等で示したようなケース収納部１２２を備えていない点である。その代わりに、ケース１２０Ａには、透明部材（あるいは半透明部材）のカバー１２５Ａが装着されている。このカバー１２５Ａは、基部１２６Ａがケース１２０Ａに取り付けられている。カバー１２５Ａは、基部１２６Ａを中心として回動可能に取り付けられており、閉じた場合には、図示せぬ係止手段によりケース１２０Ａに固定されるようになっている。
【００８８】
そして、このケース１２０Ａとカバー１２５Ａとの間に、メモリシート５２を挿入するのである。ユーザは、普段、メモリシート５２の貼付領域５２ｂにメモリカード１１を装着して音楽アルバムとして所持している。そして、音楽を聴くときには、メモリカード１１をカードスロット１２４Ａに挿入し、メモリシール５２をカバー１２５Ａの内側に挿入するのである。このとき、カバー１２５Ａは、透明部材であるので、情報印字領域５２ａに印字されているアルバムジャケットのデザインが観察可能となっているのである。このようにすることで、現在音楽プレーヤ１２Ａに挿入されているメモリカード１１に格納されている音楽の内容を即座に把握可能である。
【００８９】
＜第４の実施の形態＞
次に、本発明の第４の実施の形態について説明する。第４の実施の形態は、第３の実施の形態と同様に音楽プレーヤ１２Ａのカバー１２５Ａにメモリシートを挟み込んで利用する実施の形態である。
【００９０】
図１８は、第４の実施の形態に係るメモリシート５３を示す図である。このメモリシート５３にも、シート上部側の情報印字領域５３ａにアルバムジャケットデザインが直接印字されている。
【００９１】
また、シート下部側には、折り返し用の折り目５３ｂが形成されており、この折り目５３ｂより下側のシート面には、左右に粘着素材５３ｃ・５３ｃが塗布されている。したがって、図１９に示すように、メモリシート５３を折り目５３ｂに沿って折り返し、粘着素材５３ｃ・５３ｃにより、シート面同士を接着することで、図２０に示すように、シート下部側に、メモリカード１１収納用の袋体５３ｄが形成されるのである。
【００９２】
そして、ユーザは、この袋体５３ｄに、メモリカード１１を収納して管理するのである。上記のように、第４の実施の形態における音楽プレーヤは、第３の実施の形態で説明した音楽プレーヤ１２Ａと同様である。音楽を聴くときには、ユーザは、メモリカード１１をカードスロット１２４Ａにセットし、メモリシート５３をカバー１２５Ａの内側に挟み込むのである。これにより、現在再生している音楽アルバムのジャケットがカバー１２５Ａを通して確認することができる。
【００９３】
＜第５の実施の形態＞
次に、本発明の第５の実施の形態について説明する。第５の実施の形態は、第３あるいは第４の実施の形態と同様に音楽プレーヤ１２Ａのカバー１２５Ａにメモリシートを挟み込んで利用する実施の形態である。
【００９４】
図２１は、第５の実施の形態に係るメモリシート５４を示す図である。このメモリシート５４にも、シート上部側の情報印字領域５４ａにアルバムジャケットデザインが直接印字されている。
【００９５】
また、シート下部側には、左右に２つの切り目５４ｂ・５４ｃが設けられている。この切り目５４ｂ・５４ｃは、メモリカード１１を係止するための切り目である。つまり、メモリカード１１の左右端部をそれぞれ左右の切り目５４ｂ・５４ｃに挿入することで、メモリカード１１を保持できるようになっている。
【００９６】
図２２は、切り目５４ｂ・５４ｃにメモリカード１１が挿入された状態を示す図である。このようにして、メモリカード１１をメモリシート５４に保持するのである。そして、音楽を聴くときには、ユーザは、メモリカード１１をカードスロット１２４Ａにセットし、メモリシート５４をカバー１２５Ａの内側に挟み込むのである。これにより、現在再生している音楽アルバムのジャケットがカバー１２５Ａを通して確認することができる。
【００９７】
＜メモリケースあるいはメモリシートとメモリカードとの対応付け＞
以上説明したように、メモリカード１１に音楽データが格納され、メモリケース１５，５１にジャケットシール１４１が貼付されると、ユーザは、このメモリケース１５，５１にメモリカード１１を挿入した状態で、音楽アルバムとしてコレクションすることができる。あるいは、アルバムジャケットデザインが印字されたメモリシート５２，５３，５４にメモリカード１１を装着することで、音楽アルバムとしてコレクションすることができる。かつて、音楽レコードをコレクションしたように、メモリケース（あるいはメモリシート）とメモリカードをセットとしてコレクションして楽しむことができるのである。
【００９８】
ただし、メモリカード１１は、メモリケースあるいはメモリシートから取り外して利用可能である。たとえば、メモリカード１１を携帯電話機に挿入して携帯電話機で音楽を聴くことも可能である。このような利用をした場合、メモリケース１５，５１には、ジャケットシール１４１が貼付されているが、メモリカード１１にはジャケットシール１４１が貼付されていないため、両者の対応付けが分からなくなるおそれがある。同様に、メモリシート５２，５３，５４には、アルバムジャケットデザインが印字されているが、メモリカード１１にはアルバムジャケットデザインが印字されていないため、両者の対応付けが分からなくなるおそれがある。
【００９９】
そこで、本実施の形態においては、図２３に示すように、メモリケース１５の識別情報表示部１５ｅと、メモリカード１１の識別情報表示部１１ｅに両者を対応付けるための色を印字するようにしている。
【０１００】
つまり、ＣＤショップ１では、識別情報表示部１５ｅの色が異なる複数パターンのメモリケース１５が販売されており、また、識別情報表示部１１ｅの色が異なる複数パターンのメモリカード１１が販売されているのである。たとえば、ＣＤショップ１において、１０色のパターンのメモリケース１５が販売され、それと同じ１０色のパターンのメモリカード１１が販売される。
【０１０１】
そして、ユーザは、識別情報表示部１５ｅと識別情報表示部１１ｅの色が同じメモリケース１５とメモリカード１１を購入し、これらをセットとして保管すればよいのである。このようにすることで、色の数には制限があるため、全てのコレクションを一意に区別することは難しいが、複数種類の色を利用してメモリケース１５とメモリカード１１をセットで管理することで、管理の煩雑さを軽減させることが可能である。
【０１０２】
このように、メモリケース１５とメモリカード１１に識別情報として色を利用する場合を例に説明したが、色以外に文字を利用してもよい。たとえば、１から１００番までの番号を識別情報として利用すれば、１００パターンでメモリケース１５とメモリカード１１をセットで管理することが可能である。また、上記の例では、メモリケース１５のケース自体に色を印字させたり、あるいは文字を印字させたりする場合を説明したが、ジャケットシール１４１に識別情報表示部を設けるようにしてもよい。つまり、ジャケットシール１４１に、メモリカード１１との対応付けを行うための色あるいは文字を印字するようにしてもよい。この場合であれば、メモリケース１５としては１種類を用意すればよく、ジャケットシール１４１に色別のパターンを用意すればよい。
【０１０３】
図２４は、第２の実施の形態のメモリケース５１に識別情報表示部５１ｅを設けた図である。この場合においても、メモリケース５１の識別情報表示部５１ｅとメモリカード１１の識別情報表示部１１ｅの色あるいは文字などを対応付けることで、管理の煩雑さを軽減させることが可能である。また、ジャケットシール１４１に識別情報表示部を設ける方法でもよい。
【０１０４】
図２５は、第３の実施の形態のメモリシート５２に識別情報表示部５２ｅを設けた図である。この場合においても、メモリシート５２の識別情報表示部５２ｅとメモリカード１１の識別情報表示部１１ｅの色あるいは文字などを対応付けることで、管理の煩雑さを軽減させることが可能である。
【０１０５】
図２６は、第４の実施の形態のメモリシート５３に識別情報表示部５３ｅを設けた図である。この場合においても、メモリシート５３の識別情報表示部５３ｅとメモリカード１１の識別情報表示部１１ｅの色あるいは文字などを対応付けることで、管理の煩雑さを軽減させることが可能である。
【０１０６】
図２７は、第５の実施の形態のメモリシート５４に識別情報表示部５４ｅを設けた図である。この場合においても、メモリシート５４の識別情報表示部５４ｅとメモリカード１１の識別情報表示部１１ｅの色あるいは文字などを対応付けることで、管理の煩雑さを軽減させることが可能である。
【０１０７】
また、図２３ないし図２７においては、いずれもメモリケースやメモリシートの一部に識別情報表示部を設け、メモリカード１１の一部に識別情報表示部を設けた。これ以外に、もちろん、メモリケース１５，５１やメモリシート５２，５３，５４、メモリカード１１の全体を色で識別するようにしてもよい。
【０１０８】
以上、本発明のメモリケース、メモリシート、音楽プレーヤ等について説明したが、本発明は、音楽再生用途に限定されるものではなく、その他一般の電子機器にも適用可能である。たとえば、静止画を表示する画像表示機器や動画を再生する動画再生機器に適用させてもよい。この場合であっても、メモリカードに格納されている画像や動画の内容に関わる情報をメモリケースやメモリシートの表面に表示しておけば、電子機器に設けられた開口窓を通してメモリカードに格納された画像や動画の内容を即座に識別可能である。その他、本発明をＩＣレコーダに適用させてもよい。ＩＣレコーダに挿入するメモリケースに、記録されている音声に関わる情報を表示させると利便性がよい。
【図面の簡単な説明】
【０１０９】
【図１】本実施の形態に係る音楽データダウンロードサービスのイメージ図である。
【図２】ＣＤショップに設置される棚の概観図である。
【図３】広告ちらしのイメージ図である。
【図４】メモリケースの斜視図である。
【図５】携帯電話機のブロック図である。
【図６】パーソナルコンピュータのブロック図である。
【図７】ジャケットシールとメモリケースを示す図である。
【図８】音楽プレーヤの外観図である。
【図９】音楽プレーヤのケース収納部を示す平面図である。
【図１０】音楽プレーヤのケース収納部を示す側面断面図である。
【図１１】音楽プレーヤのカードスロットを示す底面図である。
【図１２】ケース収納部にメモリケースを挿入した状態と取り外した状態を比較して示す図である。
【図１３】音楽プレーヤのブロック図である。
【図１４】第２の実施の形態に係るメモリケースの斜視図である。
【図１５】第３の実施の形態に係るメモリシートを示す図である。
【図１６】メモリシートの粘着部にメモリカードを装着した状態を示す図である。
【図１７】第３ないし第５の実施の形態に対応した音楽プレーヤの斜視図である。
【図１８】第４の実施の形態に係るメモリシートを示す図である。
【図１９】メモリシートを折り曲げている状態を示す図である。
【図２０】メモリカード収納用の袋体が形成された状態を示す図である。
【図２１】第５の実施の形態に係るメモリシートを示す図である。
【図２２】メモリシートの切り目にメモリカードを挿入して保持している状態を示す図である。
【図２３】対応関係を示す色が付されたメモリケースとメモリカードとを示す図である。
【図２４】対応関係を示す色が付されたメモリケースとメモリカードとを示す図である。
【図２５】対応関係を示す色が付されたメモリシートとメモリカードとを示す図である。
【図２６】対応関係を示す色が付されたメモリシートとメモリカードとを示す図である。
【図２７】対応関係を示す色が付されたメモリシートとメモリカードとを示す図である。
【符号の説明】
【０１１０】
１      ＣＤショップ
２      レコード会社
３      携帯電話機
４      パーソナルコンピュータ
１１    メモリカード
１２    音楽プレーヤ
１３    フリーペーパー
１４    広告ちらし
１５    メモリケース
１２０  ケース
１２２  ケース収納部
１２３  開口窓
１２４  カードスロット
１４０  音楽アルバム情報欄
１４１  ジャケットシール
１４４  ２次元コード
１４５  リンクリスト（パンくずリスト）
【図１】
2007320588.tif 000003
【図２】
2007320588.tif 000004
【図３】
2007320588.tif 000005
【図４】
2007320588.tif 000006
【図５】
2007320588.tif 000007
【図６】
2007320588.tif 000008
【図７】
2007320588.tif 000009
【図８】
2007320588.tif 000010
【図９】
2007320588.tif 000011
【図１０】
2007320588.tif 000012
【図１１】
2007320588.tif 000013
【図１２】
2007320588.tif 000014
【図１３】
2007320588.tif 000015
【図１４】
2007320588.tif 000016
【図１５】
2007320588.tif 000017
【図１６】
2007320588.tif 000018
【図１７】
2007320588.tif 000019
【図１８】
2007320588.tif 000020
【図１９】
2007320588.tif 000021
【図２０】
2007320588.tif 000022
【図２１】
2007320588.tif 000023
【図２２】
2007320588.tif 000024
【図２３】
2007320588.tif 000025
【図２４】
2007320588.tif 000026
【図２５】
2007320588.tif 000027
【図２６】
2007320588.tif 000028
【図２７】
2007320588.tif 000029